(57)【要約】      （修正有）【課題】かばん錠の施錠又は解錠の際に掛止板に形成される傷、及びその傷における錆等の腐食を防止できるかばん錠を提供する。【解決手段】かばん錠は、錠体１０と、掛止板２０を備える。錠体１０は、かばん本体１に配設される。掛止板２０は、かばん蓋２に配設され、錠体１０と係合する。掛止板２０は、嵌合孔を有する。錠体１０は、嵌合突部と、係止部材１４と、摺接部材を有する。嵌合突部は、嵌合孔に挿通される。係止部材１４は、掛止板２０に係合可能な係合状態と掛止板２０に係合不可能な非係合状態との間で回動可能に、嵌合突部の先端部１３ａに配設される。摺接部材は、係止部材１４と共に回動可能に、掛止板２０と係止部材１４との隙間に配設され、掛止板２０に摺接する。そして、摺接部材は、掛止板２０の摺接面部２２より軟らかい。【選択図】図１
0003220320.tif 000002
【実用新案登録請求の範囲】
【請求項１】
かばん本体に配設される錠体と、かばん蓋に配設され、前記錠体と係合する掛止板を備えるかばん錠であって、
前記掛止板は、嵌合孔を有し、
前記錠体は、
前記嵌合孔に挿通可能な嵌合突部と、
前記掛止板に係合可能な係合状態と前記掛止板に係合不可能な非係合状態との間で回動可能に、前記嵌合突部の先端部に配設される係止部材と、
前記係止部材と共に回動可能に、前記掛止板と前記係止部材との隙間に配設され、前記掛止板に摺接する摺接部材であって、前記掛止板の摺接面部より軟らかい摺接部材を有する、かばん錠。
【請求項２】
前記摺接部材は、前記係止部材と一体に形成されている、請求項１に記載のかばん錠。
【請求項３】
前記係止部材は、前記掛止板に係合可能な頭部と、一端部において前記頭部に連結される回動軸部を有し、
前記摺接部材は、板状の本体部と、突起状の嵌込部を有し、
前記頭部は、前記掛止板側に開口している開口部を有し、
前記嵌込部は、前記開口部に嵌め込まれている、請求項１又は請求項２に記載のかばん錠。
【請求項４】
前記摺接部材は、汎用プラスチック、エンジニアリングプラスチックから選ばれる少なくとも１種を含有する、請求項１から請求項３のいずれか１項に記載のカバン錠。
【考案の詳細な説明】
【技術分野】
【０００１】
本考案は、ランドセル等のかばんにおけるかばん蓋をかばん本体に固定するかばん錠に関するものである。
【背景技術】
【０００２】
ランドセル等のかばんにおけるかばん蓋をかばん本体に固定するかばん錠として、特許文献１には、錠体と、掛止板とを備えるかばん錠が記載されている。特許文献１に記載のかばん錠においては、錠体は、ランドセル本体における底部の外側面に取り付けられる。掛止板は、ランドセル蓋の遊端に取り付けられており、かばん錠を施錠する際には、掛止板が錠体の押当面に押し当てられる。掛止板が錠体の押当面に押し当てられると、トーションスプリングの付勢力によって、係止部材が、所定方向に回転し、掛止板に係合し、ランドセル蓋の遊端がランドセル本体に固定される。また、かばん錠を解錠する際には、トーションスプリングの付勢力に抗して、掛止板と係合しない非係合状態に係止部材を回転させ、掛止板を錠体から離脱させる。
【先行技術文献】
【特許文献】
【０００３】
【特許文献１】特開２０１７−８００２９号公報
【考案の概要】
【考案が解決しようとする課題】
【０００４】
しかしながら、特許文献１に記載のかばん錠においては、かばん錠の施錠、解錠の際に係止部材が回転するときに、係止部材の裏側面と掛止板の表側面とが擦れ合い、長年の使用により掛止板の表側面に円弧状の傷が形成される。掛止板の表側面に傷が形成されると、傷が形成された部分に錆等の腐食が生じるため、かばん錠の外観が損なわれることが懸念される。
【０００５】
本考案は上記課題に鑑みてなされたものであり、その目的は、かばん錠の施錠又は解錠の際に掛止板に形成される傷、及びその傷における錆等の腐食を防止できるかばん錠を提供することにある。
【課題を解決するための手段】
【０００６】
本願に開示するかばん錠は、錠体と、掛止板を備える。前記錠体は、かばん本体に配設される。前記掛止板は、かばん蓋に配設され、前記錠体と係合する。前記掛止板は、嵌合孔を有する。前記錠体は、嵌合突部と、係止部材と、摺接部材を有する。前記嵌合突部は、前記嵌合孔に挿通される。前記係止部材は、前記掛止板に係合可能な係合状態と前記掛止板に係合不可能な非係合状態との間で回動可能に、前記嵌合突部の先端部に配設される。前記摺接部材は、前記係止部材と共に回動可能に、前記掛止板と前記係止部材との隙間に配設され、前記掛止板に摺接する。そして、前記摺接部材は、前記掛止板の摺接面部より軟らかい。
【０００７】
本願に開示するかばん錠において、前記摺接部材は、前記係止部材と一体に形成されている。
【０００８】
本願に開示するかばん錠において、前記係止部材は、頭部と、回動軸部を有する。前記頭部は、前記掛止板側に開口している開口部を有し、前記掛止板に係合可能である。前記回動軸部は、一端部において前記頭部に連結される。また、前記摺接部材は、板状の本体部と、突起状の嵌込部を有する。前記嵌込部は、前記開口部に嵌め込まれている。
【０００９】
本願に開示するかばん錠において、前記摺接部材は、汎用プラスチック、エンジニアリングプラスチックから選ばれる少なくとも１種を含有する。
【考案の効果】
【００１０】
本考案のかばん錠によれば、かばん錠の施錠又は解錠の際に掛止板に形成される傷、及びその傷における錆等の腐食を防止でき、かばん錠の外観が損なわれることを防止できる。
【図面の簡単な説明】
【００１１】
【図１】本考案の実施形態に係るかばん錠が設置されるランドセルを示す底面図である。
【図２】本考案の実施形態に係るかばん錠を示す第１斜視図である。
【図３】本考案の実施形態に係るかばん錠を示す第２斜視図である。
【図４】（ａ）は、本考案の実施形態に係る係止部材と、摺接部材を示す組立斜視図である。（ｂ）は、組立後の係止部材と摺接部材を示す斜視図である。
【考案を実施するための形態】
【００１２】
以下、本考案の実施形態に係るかばん錠を図面に基づいて詳しく説明する。なお、以下に説明する実施形態は、本考案を実施するのに好ましい具体例であるから、技術的に種々の限定がなされているが、本考案は、以下の説明において特に考案を限定する旨が明記されていない限り、この実施形態に限定されるものではない。
【００１３】
〈実施形態〉
図１〜図４を参照して、本考案の実施形態に係るかばん錠を説明する。図１は、実施形態に係るかばん錠が設置されるランドセルを示す底面図である。図２は、実施形態に係るかばん錠を示す第１斜視図である。図３は、実施形態に係るかばん錠を示す第２斜視図である。図４（ａ）は、実施形態に係る係止部材と、摺接部材を示す組立斜視図である。図４（ｂ）は、組立後の係止部材と摺接部材を示す斜視図である。
【００１４】
図１に示すように、実施形態に係るかばん錠は、錠体１０と、掛止板２０を備える。錠体１０は、かばん本体としてのランドセル本体１に配設される。図１、図２に示すように、実施形態においては、錠体１０は、三日月状に僅かに湾曲する長方形状の板状部材であり、長手方向の両端部近傍に配設される被固定部１１において、ランドセル本体１における底部の外側面に固定される。また、図２に示すように、錠体１０における長手方向の中央部には、平面状の押当部１２が形成される。押当部１２は、ランドセル本体１における底部の外側面に略平行であり、掛止板２０が押し当てられる。なお、錠体１０の形状は特に限定されず、例えば単なる長方形状であってもよい。
【００１５】
図１、図３に示すように、掛止板２０は、かばん蓋としてのシート状のランドセル蓋２に配設され、錠体１０と係合する。実施形態においては、掛止板２０は、概略長方形状の本体板部２０ａと、逆台形状の取付板部２０ｂを有する。本体板部２０ａは、短辺に沿った方向からの側面視において、への字を形成するように、長手方向の一端側部２０ｃが折り曲げられている。取付板部２０ｂは、本体板部２０ａの一端側部２０ｃとの間に所定の間隔を空けて、一端側部２０ｃに対して略平行となるように、本体板部２０ａに取り付けられる。なお、本体板部２０ａは、への字を形成するように折り曲げられていることは、特に必要ではなく、例えば単なる平板状であってもよい。また、取付板部２０ｂと一端側部２０ｃとの間に間隔を空けることも、特に必要ではなく、例えば両者は接触していてもよい。
【００１６】
また、実施形態においては、本体板部２０ａの一端側部２０ｃと、取付板部２０ｂは、リベット等の締結部材２０ｄによって、ランドセル蓋２の遊端から延設される舌片３に締結される。更に、図３に示すように、掛止板２０は、嵌合孔２１を有する。実施形態においては、掛止板２０は、２つの嵌合孔２１を有する。２つの嵌合孔２１は、各々、掛止板２０を厚み方向に貫通する長方形状の透孔である。
【００１７】
また、図２に示すように、錠体１０は、嵌合突部１３と、係止部材１４と、摺接部材１５を有する。嵌合突部１３は、図３に示すように、先端部１３ａを有し、掛止板２０の嵌合孔２１に挿通可能である。実施形態においては、嵌合突部１３は、押当部１２に突設されている。また、先端部１３ａは、押当部１２に平行な平面状に形成される。
【００１８】
係止部材１４は、図２、図３に示すように、嵌合突部１３の先端部１３ａに配設される。実施形態においては、先端部１３ａは、嵌合突部１３を嵌合孔２１に遊嵌可能なように、嵌合孔２１より僅かに小さい長方形状に形成される。
【００１９】
また、係止部材１４は、図２、図３に示すように、掛止板２０に係合可能な係合状態と、掛止板２０に係合不可能な非係合状態との間で回動可能である。図２には、非係合状態にある係止部材１４が示され、図３には、係合状態にある係止部材１４が示されている。非係合状態にあるとき、係止部材１４の全体が嵌合突部１３の先端部１３ａと重なり合い、係合状態にあるとき、係止部材１４は、非係合状態から９０°だけ回転している。
【００２０】
係止部材１４の材質に関し、係止部材１４は、かばん錠が施錠されているとき、掛止板２０に係合し、掛止板２０を錠体１０に固定する固定部として機能する。また、係止部材１４は、かばん錠を解錠する際に指で回転される摘みとして機能する。従って、係止部材１４は、相応の強度を有する材料、例えばアルミニウム合金、亜鉛合金、真鍮、ステンレス鋼又は鉄等の金属から形成される。
【００２１】
図４に示すように、実施形態においては、係止部材１４は、略板状の頭部１４ａと、略棒状の回動軸部１４ｂを有し、頭部１４ａが掛止板２０と係合可能である。回動軸部１４ｂは、錠体１０に配設される図示しない枢支機構によって回動可能に支持される。また、頭部１４ａは、軽量化のためにキャップ状に形成され、掛止板２０側に開口している開口部１４ｃと、開口部１４ｃを間仕切る補強用のビーム１４ｄを有する。回動軸部１４ｂは、一端部において頭部１４ａに連結される。
【００２２】
実施形態においては、回動軸部１４ｂの一端部は、頭部１４ａにおける長手方向及び短手方向の中央部に連結される。なお、回動軸部１４ｂは、頭部１４ａと一体の部材であっても、別体の部材であってもよいが、一体の部材である方が、強度及び部品管理の点で好ましい。なお、回動軸部１４ｂの一端部が頭部１４ａに連結される部位は、頭部１４ａにおける長手方向及び短手方向の中央部に限らず、各中央部とは異なる位置であってもよい。
【００２３】
摺接部材１５は、図２、図３に示すように、係止部材１４と共に回動可能に、掛止板２０と係止部材１４との隙間に配設され、掛止板２０に摺接する。実施形態においては、摺接部材１５は、係止部材１４のうちの頭部１４ａと、掛止板２０との隙間に配設され、係止部材１４と嵌合して一体に形成されている。
【００２４】
また、摺接部材１５は、図４に示すように、板状の本体部１５ａと、挿通孔１５ｂと、複数の嵌込部１５ｃを有している。本体部１５ａは、嵌合突部１３の先端部１３ａと略同一の形状を有する。挿通孔１５ｂは、本体部１５ａの中央部に穿設され、回動軸部１４ｂに挿通される。なお、本体部１５ａの形状は、必ずしも嵌合突部１３の先端部１３ａと略同一の形状である必要はなく、本体部１５ａは、掛止板２０の嵌合孔２１を通過可能であり、且つ係止部材１４と掛止板２０の摺接面部２２との摺接を防止できる形状、サイズであればよい。例えば、本体部１５ａの形状は、長方形に限らず、菱形、台形、三角形、又は五角形以上の多角形であってもよい。
【００２５】
複数の嵌込部１５ｃは、本体部１５ａの一方の主面に突設されており、本体部１５ａが係止部材１４の開口部１４ｃに重ね合わされることによって、係止部材１４の開口部１４ｃに嵌め込まれる。複数の嵌込部１５ｃが係止部材１４の開口部１４ｃに嵌め込まれることによって、摺接部材１５は、係止部材１４が回転するとき、係止部材１４に一体化されているために、係止部材１４と共に回転する。
【００２６】
そして、摺接部材１５は、掛止板２０の摺接面部２２より軟らかい、すなわち硬度が小さい材料から形成される。摺接面部２２とは、掛止板２０の表面のうち、摺接部材１５が係止部材１４と共に回転するとき摺接部材１５と擦れ合う部分をいう。実施形態においては、係止板２０が、アルミニウム合金、亜鉛合金、真鍮、ステンレス鋼又は鉄などの金属から形成され、摺接部材１５は、樹脂から形成されている。摺接面部２２を含めた係止板２０の表面が、めっきやコーティングされているときには、摺接部材１５は、それらの素材よりも柔らかい樹脂から形成されていることがさらに好ましい。
【００２７】
例えば、摺接面部２２がアクリル系のクリア塗料によってコーティングされているとき、コーティング層の硬度は約６Ｈであり、摺接部材１５は、硬度が５Ｈ以下の素材から形成されることがさらに好ましい。また、摺接面部２２がメラミン系のクリア塗料によってコーティングされているとき、コーティング層の硬度は約２Ｈであり、摺接部材１５は、硬度が１Ｈ以下の素材から形成されることがさらに好ましい。なお、各硬度は、ＪＩＳ  Ｋ  ５６００−５−４に記載されている鉛筆硬度試験に準じて測定された。
【００２８】
また、摺接部材１５は、ポリエチレン、ポリプロピレン、ポリ塩化ビニル、ポリスチレン、ポリ酢酸ビニル、ポリウレタン、ＡＢＳ樹脂、ＡＳ樹脂、アクリル樹脂などの汎用プラスチックや、ポリアセタール、ポリアミド、ポリカーボネート、変性ポリフェニレンエーテル、ポリブチレンテレフタレート、ポリエチレンテレフタレートなどのエンジニアリングプラスチックから選ばれる少なくとも１種が含有されていることが最も好ましい。
【００２９】
以上、図１〜図４を参照して説明したように、実施形態のかばん錠においては、摺接部材１５が、係止部材１４と共に回動可能に、掛止板２０と、係止部材１４、実施形態においては頭部１４ａとの隙間に配設されており、摺接部材１５は、掛止板２０の摺接面部２２より軟らかい。従って、長年の使用による係止部材１４との擦れ合いによって、掛止板２０の表面塗装が剥げる等して、掛止板２０に傷が形成されることを防止できるとともに、その傷において錆等の腐食が生じることを防止できるため、ひいてはかばん錠を施錠又は解錠する際に、かばん錠の外観が損なわれることを防止できる。
【００３０】
また、図４を参照して説明したように、係止部材１４が開口部１４ｃを有し、摺接部材１５が板状の本体部１５ａと、突起状の嵌込部１５ｂを有することから、嵌込部１５ｂを開口部１４ｃに嵌め込むだけで、接着剤を要することなく、摺接部材１５を係止部材１４に組み付けることができる。従って、かばん錠の製造を容易にすることができる。
【００３１】
次に、図２、図３を参照して、錠体１０を更に詳細に説明する。錠体１０は、可動部材１６と、回転手段１７とを更に有する。可動部材１６は、掛止板２０と当接可能に配設され、掛止板２０を錠体１０から離間する離間方向に沿って移動可能であり、離間方向に付勢されている。回転手段１７は、可動部材１６の移動に連動し、係止部材１５を係合状態に回転する。
【００３２】
実施形態においては、可動部材１６は、円柱状の部材であり、押当部１２に対して直交する方向に沿って移動可能に配設される。また、可動部材１６の一端部は、押当部１２から突出している。更に、可動部材１６は、図示しない巻きバネなどの弾性部材によって、押当部１２から突出する突出高さが大きくなる方向、すなわち離間方向に付勢される。掛止板２０が押当部１２に押し当てられると、可動部材１６は、弾性部材の付勢力に抗して、突出高さが小さくなるように、掛止板２０によって、錠体１０の内部に押し込まれる。
【００３３】
回転手段１７は、実施形態においては、トーションスプリング等の、回転力を蓄積する蓄積手段を有している。当該蓄積手段は、係止部材１４が指で回転されたときなどに、回転力を蓄積する。また、回転手段１７は、可動部材１６が錠体１０の内部に押し込まれると、可動部材１６の移動に連動し、蓄積手段に蓄積された回転力を開放する開放手段を有している。蓄積手段に蓄積された回転力が開放されると、開放された回転力によって係止部材１４が係合状態に回転され、かばん錠が施錠される。以上のように、実施形態のかばん錠においては、掛止板２０が押当部１２に押し当てられると、係止部材１４が自動的に回転し、かばん錠が自動的に施錠される。
【００３４】
以上、図２、図３を参照して説明したように、錠体１０は、掛止板２０と当接可能に配設され、離間方向に付勢されている可動部材１６を有している。可動部材１６が離間方向に付勢されることによって、掛止板２０は可動部材１６によって押し上げられ、掛止板２０の摺接面部２２が係止部材１４に常時押し付けられる。従って、特に、かばん錠を解錠するとき、摺接面部２２が係止部材１４と擦れ合い、係止部材１４によって傷付けられ易い。
【００３５】
実施形態によれば、係止部材１４と摺接面部２２との隙間に、摺接面部２２より軟らかい摺接部材１５が配設されることによって、掛止板２０が押当部１２に押し当てられることによって自動的に施錠される構造のかばん錠においても、かばん錠の外観が損なわれることを効果的に防止できる。また、ランドセル本体１に収納される物品が多いとき等には、ランドセル蓋２によって掛止板２０が引っ張られ、摺接面部２２が係止部材１４に押し付けられる。そのようなときにも、係止部材１４と摺接面部２２との隙間に、摺接面部２２より軟らかい摺接部材１５が配設されることによって、掛止板２０の摺接面部２２に傷が形成されることを防止できる。
【００３６】
以上、図面（図１〜図４）を参照しながら本考案の実施形態を説明した。但し、本考案は、上記の実施形態に限られるものではなく、その要旨を逸脱しない範囲で種々の態様において実施することが可能である。
【符号の説明】
【００３７】
１…ランドセル本体（かばん本体）
２…ランドセル蓋（かばん蓋）
１０…錠体
１３…嵌合突部
１３ａ…先端部
１４…係止部材
１５…摺接部材
２０…掛止板
２１…嵌合孔
２２…摺接面部
【図１】
0003220320.tif 000003
【図２】
0003220320.tif 000004
【図３】
0003220320.tif 000005
【図４】
0003220320.tif 000006